(57)【要約】      （修正有）【課題】物品を検査する際の検査効率を向上させる情報処理装置、情報処理プログラム及び検品システムを提供する。【解決手段】情報処理装置１４０は、同じ種類の物品について仕分けが完了するごとに撮影された画像データを取得する取得部４１０と、取得された画像データを含む表示画面を、検査者端末に送信する表示制御部４２０と、検査者端末に表示画面が表示されたことに応じてチェック操作結果を受け付ける受付部４３０と、チェック操作結果に基づいて算出された物品の数量を画像データと対応付けて出力する出力部４５０とを有する。【選択図】図４
2020140538.tif 000002
【特許請求の範囲】
【請求項１】
同じ種類の物品について仕分けが完了するごとに撮影された画像データを取得する取得部と、
取得された前記画像データを含む表示画面を、検査者端末に送信する表示制御部と、
前記検査者端末に前記表示画面が表示されたことに応じてチェック操作結果を受け付ける受付部と、
前記チェック操作結果に基づいて算出された物品の数量を前記画像データと対応付けて出力する出力部と
を有する情報処理装置。
【請求項２】
前記表示制御部は、前回取得された画像データを含む表示画面が前記検査者端末に表示されたことに応じて受け付けたチェック操作結果を、今回取得された画像データに重畳することで、チェック操作済み画像データを生成し、生成した該チェック操作済み画像データを含む表示画面を、前記検査者端末に送信する、請求項１に記載の情報処理装置。
【請求項３】
前記表示制御部は、前回取得された画像データがない場合、今回取得された画像データを含む表示画面を、検査者端末に送信する、請求項２に記載の情報処理装置。
【請求項４】
前回取得された画像データと、今回取得された画像データとの差分を算出し、差分画像データを生成する差分画像生成部を更に有し、
前記表示制御部は、前記差分画像データを含む表示画面を、前記検査者端末に送信する、請求項１に記載の情報処理装置。
【請求項５】
前記表示制御部は、前回取得された画像データがない場合、今回取得された画像データを含む表示画面を、前記検査者端末に送信する、請求項４に記載の情報処理装置。
【請求項６】
同じ種類の物品について仕分けが完了するごとに撮影された画像データを取得し、
取得された前記画像データを含む表示画面を、検査者端末に送信し、
前記検査者端末に前記表示画面が表示されたことに応じてチェック操作結果を受け付け、
前記チェック操作結果に基づいて算出された物品の数量を前記画像データと対応付けて出力する、
処理をコンピュータに実行させるための情報処理プログラム。
【請求項７】
検品領域を撮影する撮像装置と、
前記検品領域において同じ種類の物品の仕分けが完了するごとに、前記撮像装置により撮影された動画像から画像データを抽出する画像収集装置と、
前記画像データを取得する情報処理装置と、
前記情報処理装置と通信する検査者端末と、を有する検品システムであって、
取得された前記画像データを含む表示画面を、前記検査者端末に送信する表示制御部と、
前記検査者端末に前記表示画面が表示されたことに応じてチェック操作結果を受け付ける受付部と、
前記チェック操作結果に基づいて算出された物品の数量を前記画像データと対応付けて出力する出力部と
を有する検品システム。
【発明の詳細な説明】
【技術分野】
【０００１】
本発明は、情報処理装置、情報処理プログラム及び検品システムに関する。
【背景技術】
【０００２】
従来より、物流センタ等における検品シーンでは、検査者による目視検査が行われている。これは、検査対象となる物品が多岐にわたるうえ、日々変化するため、機械学習等による画像認識の適用が困難だからである。
【先行技術文献】
【特許文献】
【０００３】
【特許文献１】特開２０１７−１７８５７４号公報
【発明の概要】
【発明が解決しようとする課題】
【０００４】
一方で、検査者による目視検査の場合、一定程度のコストがかかることから、検品作業を効率化し、検査者を少人数化することが求められる。例えば、物流センタ等において仕分けられた各物品の数量を検査する検品作業においては、検査者が、より簡単な操作で検査結果を入力できることが望ましい。
【０００５】
一つの側面では、物品を検査する際の検査効率を向上させることを目的としている。
【課題を解決するための手段】
【０００６】
一態様によれば、情報処理装置は、
同じ種類の物品について仕分けが完了するごとに撮影された画像データを取得する取得部と、
取得された前記画像データを含む表示画面を、検査者端末に送信する表示制御部と、
前記検査者端末に前記表示画面が表示されたことに応じてチェック操作結果を受け付ける受付部と、
前記チェック操作結果に基づいて算出された物品の数量を前記画像データと対応付けて出力する出力部とを有する。
【発明の効果】
【０００７】
物品を検査する際の検査効率を向上させることができる。
【図面の簡単な説明】
【０００８】
【図１】物流センタにおける検品システムのシステム構成の一例を示す図である。
【図２】検査者の操作内容を説明するための第１の図である。
【図３】情報処理装置のハードウェア構成の一例を示す図である。
【図４】情報処理装置の機能構成の一例を示す第１の図である。
【図５】カウント処理の具体例を示す第１の図である。
【図６】情報処理装置によるカウント処理の流れを示す第１のフローチャートである。
【図７】検査者の操作内容を説明するための第２の図である。
【図８】情報処理装置の機能構成の一例を示す第２の図である。
【図９】カウント処理の具体例を示す第２の図である。
【図１０】情報処理装置によるカウント処理の流れを示す第２のフローチャートである。
【発明を実施するための形態】
【０００９】
以下、各実施形態について添付の図面を参照しながら説明する。なお、本明細書及び図面において、実質的に同一の機能構成を有する構成要素については、同一の符号を付することにより重複した説明を省略する。
【００１０】
［第１の実施形態］
＜検品システムのシステム構成＞
はじめに、物品を検査する検品システムのシステム構成について説明する。ここでは、物流センタに配置された検品システムを例に挙げて説明する。図１は、物流センタにおける検品システムのシステム構成の一例を示す図である。図１に示すように、物流センタには、搬送装置１２１と、搬送ボックス１２２と、商品棚１２３とが配置されている。
【００１１】
図１に示す物流センタの場合、搬送装置１２１上を、搬送ボックス１２２が搬送と停止とを繰り返しながら進むことで、搬送ボックス１２２に、商品棚１２３にある物品（商品Ａ、Ｂ、Ｃ、Ｄのいずれか１つまたは複数の物品）が、順次、収容されていく。
【００１２】
なお、搬送ボックス１２２に収容されるべき物品は、管理装置１１０において作業オーダとして管理されており、作業者端末１２０に送信されているものとする。物流センタの作業者は、作業者端末１２０に送信された作業オーダに従って、搬送ボックス１２２に物品を収容する。図１の例は、“商品Ａ”を２個、“商品Ｂ”を３個収容する“作業オーダ１”が作業者端末１２０に送信された様子を示している。
【００１３】
一方で、図１に示すように、物流センタにおける検品システム１００は、画像収集装置１３０、撮像装置１３１と、完了ボタン１３２〜１３５、情報処理装置１４０、検査者端末１５０とを有する。なお、物流センタにおいて、管理装置１１０、作業者端末１２０、画像収集装置１３０、情報処理装置１４０は、ネットワーク１６０を介して接続されている。
【００１４】
撮像装置１３１は、搬送ボックス１２２が搬送された場合に連動して移動し、搬送ボックス１２２内を撮影する。つまり、搬送ボックス１２２内は、収容された物品を検査する検品領域として機能する。撮像装置１３１は、検品領域を撮影した動画像を、画像収集装置１３０に送信する。
【００１５】
完了ボタン１３２〜１３５は、物流センタの作業者が、商品棚１２３にある物品を、作業オーダに応じた数だけ搬送ボックス１２２に収容するごとに、押圧するボタンである。物流センタの作業者により完了ボタン１３２〜１３５のいずれかが押圧されると、画像収集装置１３０に対して押圧信号が送信される。
【００１６】
なお、作業オーダ１の場合、物流センタの作業者は、搬送ボックス１２２に商品Ａを２個収容すると、完了ボタン１３２を押圧する。また、作業オーダ１の場合、物流センタの作業者は、搬送ボックス１２２に商品Ｂを３個収容すると、完了ボタン１３３を押圧する。
【００１７】
画像収集装置１３０は、撮像装置１３１より送信された動画像を受信する。また、画像収集装置１３０は、受信した動画像のうち、完了ボタン１３２〜１３５のいずれかから押圧信号が送信されたタイミングフレーム画像を抽出する。
【００１８】
画像収集装置１３０は、抽出したフレーム画像を、画像データとして押圧信号の種類と対応付けて情報処理装置１４０に送信する。なお、完了ボタン１３２から送信された押圧信号と対応付けられた画像データは、商品Ａの数量を検査するための画像データである。また、完了ボタン１３３から送信された押圧信号と対応付けられた画像データは、商品Ｂの数量を検査するための画像データである。同様に、完了ボタン１３４、１３５から送信された押圧信号と対応付けられた画像データは、それぞれ、商品Ｃ、商品Ｄの数量を検査するための画像データである。
【００１９】
情報処理装置１４０は、画像収集装置１３０から画像データを受信すると、検査者端末１５０に送信する。また、情報処理装置１４０は、画像データを送信したことに応じて、検査者端末１５０からチェック操作結果を受け付け、物品の数量をカウントする。情報処理装置１４０は、物品の数量を画像データと対応付けてカウントすることで、物品の種類ごとの数量をカウントすることができる。また、情報処理装置１４０は、物品種類ごとにカウントした数量を、画像データと対応付けて、実績値として管理装置１１０に送信する。
【００２０】
検査者端末１５０は、検査者１７０がチェック操作を行う端末である。具体的に検査者端末１５０は、情報処理装置１４０から送信された画像データを表示する。検査者端末１５０が画像データを表示したことに応じて、検査者１７０は、画像データ内に視認した物品についてチェック操作を行う。また、検査者端末１５０は、検査者によりチェック操作が行われた場合、チェックマークをチェック操作結果として情報処理装置１４０に送信する。
【００２１】
＜検査者の操作内容＞
次に、物流センタにおいて仕分けられた各物品の数量を検査する検品作業における、検査者１７０の操作内容について説明する。図２は、検査者の操作内容を説明するための第１の図である。
【００２２】
搬送ボックス１２２に商品Ａが収容され、完了ボタン１３２が押圧されると、図２に示すように、検査者端末１５０に対しては、画像データ（Ｆｉｌｅ１）が送信され、検査者端末１５０には、表示画面２０１が表示される。
【００２３】
検査者端末１５０に表示画面２０１が表示されると、検査者１７０は、チェック操作を行っていない物品に対してチェック操作を行う。表示画面２０２は、２つの商品Ａに対して、検査者１７０がチェック操作を行い、完了タグを押圧した様子を示している。検査者１７０が完了タグを押圧すると、検査者端末１５０では、チェック操作回数（２回）分のチェックマークをチェック操作結果として情報処理装置１４０に送信する。
【００２４】
続いて、搬送ボックス１２２に商品Ｂが収容され、完了ボタン１３３が押圧されると、図２に示すように、情報処理装置１４０から検査者端末１５０に対して、チェック操作済み画像データが送信される。これにより、検査者端末１５０には、表示画面２１１が表示される。
【００２５】
検査者端末１５０に表示画面２１１が表示されると、検査者１７０は、チェック操作を行っていない物品に対してチェック操作を行う。表示画面２１２は、３つの商品Ｂに対して、検査者１７０がチェック操作を行い、完了タグを押圧した様子を示している。検査者１７０が、完了タグを押圧すると、検査者端末１５０では、チェック操作回数（３回）分のチェックマークをチェック操作結果として情報処理装置１４０に送信する。
【００２６】
このように、検品システム１００によれば、検査者１７０は、検査者端末１５０に表示された表示画面上で、チェック操作を行っていない物品に対してチェック操作を行うだけで、仕分けられた各物品の数量を検査することができる。この結果、検品システム１００によれば、物品を検査する際の検査効率を向上させることができる。
【００２７】
＜情報処理装置のハードウェア構成＞
次に、情報処理装置１４０のハードウェア構成について説明する。図３は、情報処理装置のハードウェア構成の一例を示す図である。図３に示すように、情報処理装置１４０は、ＣＰＵ（Central  Processing  Unit）３０１、ＲＯＭ（Read  Only  Memory）３０２、ＲＡＭ（Random  Access  Memory）３０３を有する。ＣＰＵ３０１、ＲＯＭ３０２、ＲＡＭ３０３は、いわゆるコンピュータを形成する。
【００２８】
また、情報処理装置１４０は、補助記憶部３０４、操作部３０５、Ｉ／Ｆ（Interface）部３０６、ドライブ部３０７を有する。なお、情報処理装置１４０の各ハードウェアは、バス３０８を介して相互に接続されている。
【００２９】
ＣＰＵ３０１は、補助記憶部３０４にインストールされている各種プログラム（例えば、後述する情報処理プログラム等）を実行する演算デバイスである。
【００３０】
ＲＯＭ３０２は、不揮発性メモリである。ＲＯＭ３０２は、補助記憶部３０４にインストールされている各種プログラムをＣＰＵ３０１が実行するために必要な各種プログラム、データ等を格納する主記憶デバイスとして機能する。具体的には、ＲＯＭ３０２はＢＩＯＳ（Basic  Input/Output  System）やＥＦＩ（Extensible  Firmware  Interface）等のブートプログラム等を格納する、主記憶デバイスとして機能する。
【００３１】
ＲＡＭ３０３は、ＤＲＡＭ（Dynamic  Random  Access  Memory）やＳＲＡＭ（Static  Random  Access  Memory）等の揮発性メモリである。ＲＡＭ３０３は、補助記憶部３０４にインストールされている各種プログラムがＣＰＵ３０１によって実行される際に展開される作業領域を提供する、主記憶デバイスとして機能する。
【００３２】
補助記憶部３０４は、各種プログラムや、各種プログラムが実行されることで取得される情報を格納する補助記憶デバイスである。
【００３３】
操作部３０５は、情報処理装置１４０の管理者が情報処理装置１４０に対して各種指示を入力する入力デバイスである。Ｉ／Ｆ部３０６は、検査者端末１５０に接続され、情報処理装置１４０が、検査者端末１５０との間で通信を行うための通信デバイスである。
【００３４】
ドライブ部３０７は記録媒体３１０をセットするためのデバイスである。ここでいう記録媒体３１０には、ＣＤ−ＲＯＭ、フレキシブルディスク、光磁気ディスク等のように情報を光学的、電気的あるいは磁気的に記録する媒体が含まれる。また、記録媒体３１０には、ＲＯＭ、フラッシュメモリ等のように情報を電気的に記録する半導体メモリ等が含まれていてもよい。
【００３５】
なお、補助記憶部３０４にインストールされる各種プログラムは、例えば、配布された記録媒体３１０がドライブ部３０７にセットされ、該記録媒体３１０に記録された各種プログラムがドライブ部３０７により読み出されることでインストールされる。あるいは、補助記憶部３０４にインストールされる各種プログラムは、不図示のネットワークよりダウンロードされることでインストールされてもよい。
【００３６】
＜情報処理装置の機能構成＞
次に、情報処理装置１４０の機能構成について説明する。図４は、情報処理装置の機能構成の一例を示す第１の図である。上述したとおり、情報処理装置１４０には、情報処理プログラムがインストールされている。情報処理装置１４０は、当該情報処理プログラムを実行することで、画像データ取得部４１０、表示制御部４２０、チェック操作受付部４３０、チェック操作数カウント部４４０、出力部４５０として機能する。
【００３７】
画像データ取得部４１０は、画像収集装置１３０より送信された画像データを取得する。また、画像データ取得部４１０は、取得した画像データを表示制御部４２０に通知する。
【００３８】
表示制御部４２０は、画像データ取得部４１０より画像データが通知されると、前回通知された画像データに対して行われたチェック操作の結果を、今回通知された画像データに重畳して、チェック操作済み画像データを生成する。また、表示制御部４２０は、チェック操作済み画像データを含む表示画面を、検査者端末１５０に送信する。
【００３９】
なお、前回通知された画像データがない場合には（今回通知された画像データが１番目の画像データであった場合には）、表示制御部４２０は、今回通知された画像データを、検査者端末１５０に送信する。
【００４０】
また、表示制御部４２０は、今回通知された画像データを、出力部４５０に通知する。
【００４１】
チェック操作受付部４３０は、チェック操作済み画像データまたは画像データを、検査者端末１５０に送信したことに応じて、検査者端末１５０よりチェック操作結果が送信された場合に、当該チェック操作結果を受信する。
【００４２】
チェック操作受付部４３０は、受信したチェック操作結果を表示制御部４２０に通知するとともに、チェック操作数カウント部４４０に通知する。
【００４３】
チェック操作数カウント部４４０は、チェック操作結果がチェック操作受付部４３０より通知されると、チェック操作回数をカウントし、出力部４５０に通知する。
【００４４】
出力部４５０は、表示制御部４２０より通知された画像データと、チェック操作数カウント部４４０より通知されたチェック操作回数とを対応付けて、実績値として管理装置１１０に送信する。
【００４５】
＜カウント処理の具体例＞
次に、情報処理装置１４０によるカウント処理の具体例について説明する。図５は、カウント処理の具体例を示す第１の図である。図５に示すように、画像データ取得部４１０は、まず、画像収集装置１３０より送信された画像データ５０１を取得する。画像データ５０１は、１番目の画像データであるため、表示制御部４２０は、画像データ５０１を含む表示画面２０１を検査者端末１５０に送信する。図５の場合、表示制御部４２０では、表示画面２０１にチェック操作記録シート５２１を含めて検査者端末１５０に送信する。
【００４６】
画像データ５０１とチェック操作記録シート５２１とを含む表示画面２０１を、検査者端末１５０に送信したことに応じて、チェック操作受付部４３０は、チェック操作結果が記録されたチェック操作記録シート５２１を受信する。
【００４７】
図５の例では、チェック操作記録シート５２１上において、チェックマークが２箇所に記録されているため、チェック操作数カウント部４４０は、チェック操作回数＝２回を、出力部４５０に通知する。これにより、出力部４５０は、商品Ａの個数の実績値として“２個”を、管理装置１１０に送信する。
【００４８】
続いて、画像データ取得部４１０は、画像収集装置１３０より送信された画像データ５０２を取得する。表示制御部４２０は、取得された画像データ５０２に、チェック操作記録シート５２１を重畳して、チェック操作済み画像データ５１２を生成する。また、表示制御部４２０は、生成したチェック操作済み画像データ５１２と、チェック操作記録シート５２２とを含む表示画面２１１を検査者端末１５０に送信する。
【００４９】
チェック操作済み画像データ５１２とチェック操作記録シート５２２とを含む表示画面２１１を、検査者端末１５０に送信したことに応じて、チェック操作受付部４３０は、チェック操作結果が記録されたチェック操作記録シート５２２を受信する。
【００５０】
図５の例では、チェック操作記録シート５２２上において、チェックマークが３箇所に記録されているため、チェック操作数カウント部４４０は、チェック操作回数＝３回を、出力部４５０に通知する。これにより、出力部４５０は、商品Ｂの個数の実績値として“３個”を、管理装置１１０に送信する。
【００５１】
＜カウント処理の流れ＞
次に、情報処理装置１４０によるカウント処理の流れについて説明する。図６は、情報処理装置によるカウント処理の流れを示す第１のフローチャートである。
【００５２】
ステップＳ６０１において、画像データ取得部４１０は、画像収集装置１３０より画像データを取得する。
【００５３】
ステップＳ６０２において、表示制御部４２０は、前回のチェック操作結果があるか否かを判定する。ステップＳ６０２において、前回のチェック操作結果がないと判定した場合には（ステップＳ６０２においてＮｏの場合には）、ステップＳ６０４に進む。一方、ステップＳ６０２において、前回のチェック操作結果があると判定した場合には（ステップＳ６０２においてＹｅｓの場合には）、ステップＳ６０３に進む。
【００５４】
ステップＳ６０３において、表示制御部４２０は、前回のチェック操作結果が記録されたチェック操作記録シートを、ステップＳ６０１で取得した画像データに重畳することで、チェック操作済み画像データを生成する。
【００５５】
ステップＳ６０４において、表示制御部４２０は、画像データ（前回のチェック操作結果があると判定された場合には、チェック操作済み画像データ）と、チェック操作記録シートとを含む表示画面を、検査者端末１５０に送信する。
【００５６】
ステップＳ６０５において、チェック操作受付部４３０は、検査者端末１５０より、チェック操作結果が記録されたチェック操作記録シートを受信する。
【００５７】
ステップＳ６０６において、チェック操作数カウント部４４０は、チェック操作記録シートに基づいて、チェック操作回数をカウントし、出力部４５０に通知する。出力部４５０では、画像データとチェック操作回数とを対応付ける。
【００５８】
ステップＳ６０７において、出力部４５０は、対応付けた画像データとチェック操作回数とを実績値として、管理装置１１０に送信する。
【００５９】
ステップＳ６０８において、画像データ取得部４１０は、カウント処理を終了するか否かを判定する。ステップＳ６０８において、カウント処理を継続すると判定した場合には（ステップＳ６０８においてＮｏの場合には）、ステップＳ６０１に戻る。一方、ステップＳ６０８において、カウント処理を終了すると判定した場合には（ステップＳ６０８においてＹｅｓの場合には）、カウント処理を終了する。
【００６０】
以上の説明から明らかなように、第１の実施形態に係る情報処理装置１４０は、同じ種類の物品について仕分けが完了するごとに撮影された画像データを取得する。また、第１の実施形態に係る情報処理装置１４０は、取得した画像データを検査者端末に表示するための表示画面（画像データまたはチェック操作済み画像データを含む表示画面）を生成し、検査者端末に送信する。また、第１の実施形態に係る情報処理装置１４０は、検査者端末に表示画面が表示されることで入力されたチェック操作結果を受け付け、チェック操作の回数をカウントする。更に、第１の実施形態に係る情報処理装置１４０は、カウントした回数を、画像データと対応付けて出力する。
【００６１】
これにより、第１の実施形態に係る情報処理装置１４０によれば、検査者は、表示画面上で、チェック操作を行っていない物品に対してチェック操作を行うだけで、仕分けられた各物品の数量を検査することができる。この結果、第１の実施形態に係る情報処理装置１４０によれば、物品を検査する際の検査効率を向上させることができる。
【００６２】
［第２の実施形態］
上記第１の実施形態において、情報処理装置１４０は、チェック操作が行われた物品を含むチェック操作済み画像データを、検査者端末１５０に送信するものとして説明した。これに対して、第２の実施形態では、チェック操作が行われた物品を除く画像データ（差分画像データ）を検査者端末１５０に送信する。以下、第２の実施形態について、上記第１の実施形態との相違点を中心に説明する。
【００６３】
＜検査者の操作内容＞
はじめに、第２の実施形態に係る情報処理装置１４０に適用した場合の、検査者１７０の操作内容について説明する。図７は、検査者の操作内容を説明するための第２の図である。
【００６４】
搬送ボックス１２２に商品Ａが収容され、完了ボタン１３２が押圧されると、図７に示すように、検査者端末１５０に対しては、画像データ（Ｆｉｌｅ１）が送信され、検査者端末１５０には、表示画面２０１が表示される。
【００６５】
検査者端末１５０に表示画面２０１が表示されると、検査者１７０は、表示された物品に対してチェック操作を行う。表示画面２０２は、２つの商品Ａに対して、検査者１７０がチェック操作を行い、完了タグを押圧した様子を示している。検査者１７０が、完了タグを押圧すると、検査者端末１５０では、チェック操作回数（２回）分のチェックマークをチェック操作結果として情報処理装置１４０に送信する。
【００６６】
続いて、搬送ボックス１２２に商品Ｂが収容され、完了ボタン１３３が押圧されると、図７に示すように、検査者端末１５０に対しては、差分画像データが送信される。
【００６７】
ここで、差分画像データとは、今回送信された画像データ（Ｆｉｌｅ２）と、前回送信された画像データ（Ｆｉｌｅ１）との差分を算出することにより生成される画像データである。これにより、検査者端末１５０には、表示画面７１１が表示される。
【００６８】
検査者端末１５０に表示画面７１１が表示されると、検査者１７０は、表示された物品に対してチェック操作を行う。表示画面７１２は、３つの商品Ｂに対して、検査者１７０がチェック操作を行い、完了タグを押圧した様子を示している。検査者１７０が完了タグを押圧すると、検査者端末１５０では、チェック操作回数（３回）分のチェックマークをチェック操作結果として情報処理装置１４０に送信する。
【００６９】
このように、検品システム１００によれば、検査者１７０は、検査者端末１５０に表示された表示画面上で、表示された物品に対してチェック操作を行うだけで、仕分けられた各物品の数量を検査することができる。この結果、検品システム１００によれば、物品を検査する際の検査効率を向上させることができる。
【００７０】
＜情報処理装置の機能構成＞
次に、第２の実施形態に係る情報処理装置１４０の機能構成について説明する。図８は、情報処理装置の機能構成の一例を示す第２の図である。図４に示した機能構成との相違点は、差分画像生成部８１０を有する点と、表示制御部４２０の機能が異なる点である。
【００７１】
差分画像生成部８１０は、画像データ取得部４１０により今回取得された画像データと、画像データ取得部４１０により前回取得された画像データとの差分を算出し、差分画像データを生成する。また、差分画像生成部８１０は、生成した差分画像データを表示制御部４２０に通知する。
【００７２】
表示制御部４２０は、差分画像生成部８１０より通知された差分画像データを、出力部４５０に通知する。また、表示制御部４２０は、差分画像生成部８１０より通知された差分画像データを含む表示画面を、検査者端末１５０に送信する。
【００７３】
＜カウント処理の具体例＞
次に、第２の実施形態に係る情報処理装置１４０によるカウント処理の具体例について説明する。図９は、カウント処理の具体例を示す第２の図である。図９に示すように、画像データ取得部４１０は、まず、画像収集装置１３０より送信された画像データ５０１を取得する。画像データ５０１は、１番目の画像データであるため、差分画像生成部８１０は、画像データ５０１を表示制御部４２０に通知する。また、表示制御部４２０は、画像データ５０１を含む表示画面２０１を検査者端末１５０に送信する。図９の場合、表示制御部４２０では、表示画面２０１にチェック操作記録シート５２１を含めて検査者端末１５０に送信する。
【００７４】
画像データ５０１及びチェック操作記録シート５２１を、検査者端末１５０に送信したことに応じて、チェック操作受付部４３０は、チェック操作結果が記録されたチェック操作記録シート５２１を受信する。
【００７５】
図５の例では、チェック操作記録シート５２１上において、チェックマークが２箇所に記録されているため、チェック操作数カウント部４４０は、チェック操作回数＝２回を、出力部４５０に通知する。これにより、出力部４５０は、商品Ａの個数の実績値として“２個”を、管理装置１１０に送信する。
【００７６】
続いて、画像データ取得部４１０は、画像収集装置１３０より送信された画像データ５０２を取得する。差分画像生成部８１０は、今回取得された画像データ５０２と、前回取得された画像データ５０１との差分を算出し、差分画像データ９１２を生成する。
【００７７】
また、表示制御部４２０は、生成された差分画像データ９１２と、チェック操作記録シート５２２とを含む表示画面７１１を検査者端末１５０に送信する。
【００７８】
差分画像データ９１２とチェック操作記録シート５２２とを含む表示画面７１１を、検査者端末１５０に送信したことに応じて、チェック操作受付部４３０は、チェック操作結果が記録されたチェック操作記録シート５２２を受信する。
【００７９】
図９の例では、チェック操作記録シート５２２上において、チェックマークが３箇所に記録されているため、チェック操作数カウント部４４０は、チェック操作回数＝３回を、出力部４５０に通知する。これにより、出力部４５０は、商品Ｂの個数の実績値として“３個”を、管理装置１１０に送信する。
【００８０】
＜カウント処理の流れ＞
次に、第２の実施形態に係る情報処理装置１４０によるカウント処理の流れについて説明する。図１０は、情報処理装置によるカウント処理の流れを示す第２のフローチャートである。図６に示したフローチャートとの相違点は、ステップＳ１００１〜Ｓ１００３である。
【００８１】
ステップＳ１００１において、差分画像生成部８１０は、前回取得された画像データがあるか否かを判定する。ステップＳ１００１において、前回取得された画像データがないと判定された場合には（ステップＳ１００１においてＮｏの場合には）、ステップＳ１００３に進む。一方、ステップＳ１００１において、前回取得された画像データがあると判定した場合には（ステップＳ１００１においてＹｅｓの場合には）、ステップＳ１００２に進む。
【００８２】
ステップＳ１００２において、差分画像生成部８１０は、前回取得された画像データと、今回取得された画像データとの差分を算出し、差分画像データを生成する。
【００８３】
ステップＳ１００３において、表示制御部４２０は、画像データ（前回取得された画像データがあると判定された場合には差分画像データ）と、チェック操作記録シートとを含む表示画面を、検査者端末１５０に送信する。
【００８４】
以上の説明から明らかなように、第２の実施形態に係る情報処理装置１４０は、同じ種類の物品について仕分けが完了するごとに撮影された画像データを取得する。また、第２の実施形態に係る情報処理装置１４０は、取得した画像データを検査者端末に表示するための表示画面（画像データまたは差分画像データを含む表示画面）を生成し、検査者端末に送信する。また、第２の実施形態に係る情報処理装置１４０は、検査者端末に表示画面が表示されることで入力されたチェック操作結果を受け付け、チェック操作の回数をカウントする。更に、第２の実施形態に係る情報処理装置１４０は、カウントした回数を、画像データと対応付けて出力する。
【００８５】
これにより、第２の実施形態に係る情報処理装置１４０によれば、検査者は、表示画面上で、表示された物品に対してチェック操作を行うだけで、仕分けられた各物品の数量を検査することができる。この結果、第２の実施形態に係る情報処理装置１４０によれば、物品を検査する際の検査効率を向上させることができる。
【００８６】
［その他の実施形態］
上記第１及び第２の実施形態において、情報処理装置１４０は、チェック操作結果に基づいて算出された各物品の数量を、画像データと対応付けて出力するものとして説明した。しかしながら、各物品の数量を、チェック済み画像データや、差分画像データと対応付けて出力してもよい。
【００８７】
また、上記第１及び第２の実施形態では、物流センタに検品システム１００を適用する場合について説明した。しかしながら、検品システム１００の適用先は、物流センタに限定されない。例えば、物品の製造ライン等に検品システム１００を適用してもよい。
【００８８】
また、上記第１及び第２の実施形態の検品システム１００では、撮像装置１３１、画像収集装置１３０、情報処理装置１４０、検査者端末１５０を、別体として設けるものとして説明した。しかしながら、検品システム１００は、これらの装置の一部を一体的に設けてもよい。
【００８９】
また、上記第１及び第２の実施形態の検品システム１００の情報処理装置１４０において実現される機能の一部は、検品システム１００の情報処理装置１４０以外の装置において実現されてもよい。
【００９０】
なお、開示の技術では、以下に記載する付記のような形態が考えられる。
（付記１）
同じ種類の物品について仕分けが完了するごとに撮影された画像データを取得する取得部と、
取得された前記画像データを含む表示画面を、検査者端末に送信する表示制御部と、
前記検査者端末に前記表示画面が表示されたことに応じてチェック操作結果を受け付ける受付部と、
前記チェック操作結果に基づいて算出された物品の数量を前記画像データと対応付けて出力する出力部と
を有する情報処理装置。
（付記２）
前記表示制御部は、前回取得された画像データを含む表示画面が前記検査者端末に表示されたことに応じて受け付けたチェック操作結果を、今回取得された画像データに重畳することで、チェック操作済み画像データを生成し、生成した該チェック操作済み画像データを含む表示画面を、前記検査者端末に送信する、付記１に記載の情報処理装置。
（付記３）
前記表示制御部は、前回取得された画像データがない場合、今回取得された画像データを含む表示画面を、前記検査者端末に送信する、付記２に記載の情報処理装置。
（付記４）
前回取得された画像データと、今回取得された画像データとの差分を算出し、差分画像データを生成する差分画像生成部を更に有し、
前記表示制御部は、前記差分画像データを含む表示画面を、前記検査者端末に送信する、付記１に記載の情報処理装置。
（付記５）
前記表示制御部は、前回取得された画像データがない場合、今回取得された画像データを含む表示画面を、前記検査者端末に送信する、付記４に記載の情報処理装置。
（付記６）
同じ種類の物品について仕分けが完了するごとに撮影された画像データを取得し、
取得された前記画像データを含む表示画面を、検査者端末に送信し、
前記検査者端末に前記表示画面が表示されたことに応じてチェック操作結果を受け付け、
前記チェック操作結果に基づいて算出された物品の数量を前記画像データと対応付けて出力する、
処理をコンピュータに実行させるための情報処理プログラム。
（付記７）
検品領域を撮影する撮像装置と、
前記検品領域において同じ種類の物品の仕分けが完了するごとに、前記撮像装置により撮影された動画像から画像データを抽出する画像収集装置と、
前記画像データを取得する情報処理装置と、
前記情報処理装置と通信する検査者端末と、を有する検品システムであって、
取得された前記画像データを含む表示画面を、前記検査者端末に送信する表示制御部と、
前記検査者端末に前記表示画面が表示されたことに応じてチェック操作結果を受け付ける受付部と、
前記チェック操作結果に基づいて算出された物品の数量を前記画像データと対応付けて出力する出力部と
を有する検品システム。
なお、上記実施形態に挙げた構成等に、その他の要素との組み合わせ等、ここで示した構成に本発明が限定されるものではない。これらの点に関しては、本発明の趣旨を逸脱しない範囲で変更することが可能であり、その応用形態に応じて適切に定めることができる。
【符号の説明】
【００９１】
１００                  ：検品システム
１２０                  ：作業者端末
１３０                  ：画像収集装置
１３１                  ：撮像装置
１３２〜１３５          ：完了ボタン
１４０                  ：情報処理装置
１５０                  ：検査者端末
２０１、２１１          ：表示画面
４１０                  ：画像データ取得部
４２０                  ：表示制御部
４３０                  ：チェック操作受付部
４４０                  ：チェック操作数カウント部
４５０                  ：出力部
５１２                  ：チェック操作済み画像データ
５２１、５２２          ：チェック操作記録シート
７１１                  ：表示画面
８１０                  ：差分画像生成部
【図１】
2020140538.tif 000003
【図２】
2020140538.tif 000004
【図３】
2020140538.tif 000005
【図４】
2020140538.tif 000006
【図５】
2020140538.tif 000007
【図６】
2020140538.tif 000008
【図７】
2020140538.tif 000009
【図８】
2020140538.tif 000010
【図９】
2020140538.tif 000011
【図１０】
2020140538.tif 000012